(57)【要約】【課題】周囲の温度に影響されず、花芽の分化の促進を含め、花芽分化の時期を確実にコントロールすることができ、しかも１つの管路によって花芽分化時期のコントロールと栽培適温の保持の両方を行うことができる植物の栽培方法、植物の栽培装置を提供する。【解決手段】水タンク１５内の１０℃に冷却された養液を連結管１１、分岐管１３を介して一対の養液供給管９へ送る。一対の養液供給管９はイチゴＳのクラウン部Ｃの近傍に配置されているので、花芽の分化を促進したい場合には、上記のように１０℃に冷却された養液を一対の養液供給管９に供給する。これにより、クラウン部Ｃが冷却されて、花芽の分化が促進される。また、養液Ｙが土壌８に含浸されて土壌８が冷却される。【選択図】        図１
2013034438.tif 000002
【特許請求の範囲】
【請求項１】
栽培用容器に収容された土壌に植えられた植物の近傍にまたは植物に接触して配置された養液供給管に所定温度の養液を供給する工程と、前記養液供給管の周面に所定間隔で配置された送出穴から養液を送出して前記養液を土壌に供給する工程と、前記養液の温度を調節する工程とから成ることを特徴とする植物の栽培方法。
【請求項２】
請求項１に記載した植物の栽培方法において、養液供給管は曝される温度によって花芽が分化するか否かに影響を与える栽培植物の感温部の近傍または感温部に接触して配置され、前記養液供給管に供給される養液の温度を変更することによって感温部が曝される温度を変更することを特徴とする植物の栽培方法。
【請求項３】
請求項１または２に記載した植物の栽培方法において、養液供給管の送出穴から送出された養液は土壌に滞留して、土壌温度が調節されることを特徴とする植物の栽培方法。
【請求項４】
請求項１から３のいずれかに記載した植物の栽培方法を実施するための植物の栽培装置であって、栽培用容器と、前記栽培用容器に収容され植物が植栽される土壌と、前記植えられた植物の近傍に配置され周面に養液送出穴が形成された養液供給管と、前記養液の温度を調節する養液温度制御手段と、前記養液を養液供給管へ送る養液送給手段とを具備することを特徴とする植物の栽培装置。
【発明の詳細な説明】
【技術分野】
【０００１】
本発明はイチゴ等の植物の栽培方法、植物の栽培装置に関するものである。
【背景技術】
【０００２】
イチゴ等を栽培する場合において収量を多くするためには、花芽の分化を促進して実が多くつくようにし、更に栽培に適した温度に保つようにする必要がある。
そこで、特許文献１に記載されたイチゴ苗の花芽分化促進と栽培を行う水耕栽培方法がある。この水耕栽培方法は、冷却用チラーユニットによって冷却された約１０℃〜１５℃の冷水を、循環管路によって育苗ベッドのイチゴ苗のクラウン部分を対象に供給して、花芽分化の促進を行うと共に、同一のチラーユニットによって、別の循環経路を用いて養水を約１５℃〜２５℃の栽培適温に保ち、花芽分化したイチゴ苗を定植した栽培ベッドに供給することにより、育成するものである。
【先行技術文献】
【特許文献】
【０００３】
【特許文献１】特開平４−１８３３３２号公報
【発明の概要】
【発明が解決しようとする課題】
【０００４】
しかしながら、上記従来の栽培方法では、クラウン部分に冷水を供給するため、供給した直後はクラウン部が冷温状態となるが、周囲の温度によっては短時間でクラウン部の温度が上昇してしまい、花芽分化の促進を十分に行うことができないおそれがある。
また、上記従来の栽培方法は育苗ベッドに冷水を供給する循環管路と栽培ベッドに養水を供給する循環管路とを別々に備えている。すなわち、２つの循環管路を備える必要があり、栽培方法の実施が煩雑になったり、栽培装置のコストが高くなったりする等の問題もある。
本発明は上記従来の問題点に着目して為されたものであり、周囲の温度に影響されず、花芽の分化の促進を含め、花芽分化の時期を確実にコントロールすることができ、しかも１つの管路によって、養液の供給、花芽分化時期のコントロールおよび栽培適温の保持を行うことができる植物の栽培方法、植物の栽培装置の提供を、その目的とする。
【課題を解決するための手段】
【０００５】
本発明は上記課題を解決するためになされたものであり、請求項１の発明は、栽培用容器に収容された土壌に植えられた植物の近傍にまたは植物に接触して配置された養液供給管に所定温度の養液を供給する工程と、前記養液供給管の周面に所定間隔で配置された送出穴から養液を送出して前記養液を土壌に供給する工程と、前記養液の温度を調節する工程とから成ることを特徴とする植物の栽培方法である。
【０００６】
請求項２の発明は、請求項１に記載した植物の栽培方法において、養液供給管は曝される温度によって花芽が分化するか否かに影響を与える栽培植物の感温部の近傍または感温部に接触して配置され、前記養液供給管に供給される養液の温度を変更することによって感温部が曝される温度を変更することを特徴とする植物の栽培方法である。
【０００７】
請求項３の発明は、請求項１または２に記載した植物の栽培方法において、養液供給管の送出穴から送出された養液は土壌に滞留して、土壌温度が調節されることを特徴とする植物の栽培方法である。
【０００８】
請求項４の発明は、請求項１から３のいずれかに記載した植物の栽培方法を実施するための植物の栽培装置であって、栽培用容器と、前記栽培用容器に収容され植物が植栽される土壌と、前記植えられた植物の近傍に配置され周面に養液送出穴が形成された養液供給管と、前記養液の温度を調節する養液温度制御手段と、前記養液を養液供給管へ送る養液送給手段とを具備することを特徴とする植物の栽培装置である。
【発明の効果】
【０００９】
本発明の植物の栽培方法、植物の栽培装置によれば、周囲の温度に影響されず、花芽の分化の促進を含め、花芽分化の時期を確実にコントロールすることができるようになる。
しかも１つの管路によって養液の供給、花芽分化時期のコントロールおよび栽培適温の保持を行うことができるようになる。
【図面の簡単な説明】
【００１０】
【図１】本発明の実施の形態に係る植物の栽培装置の斜視図である。
【図２】図１の植物栽培装置の栽培ベッドの部分破断斜視図である。
【図３】図１の植物栽培装置の栽培ベッドの部分平面図である。
【図４】図１の植物の栽培装置によって植物の栽培方法を実施した場合の土壌等の温度変化を示すグラフである。
【発明を実施するための形態】
【００１１】
本発明の実施の形態に係る植物の栽培方法、当該植物の栽培方法を実施するための植物の栽培装置１を図面にしたがって説明する。
まず、植物の栽培装置１の栽培ベッド２の構成を説明する。
符号３は架台を示し、金属パイプを組み合わせることによって構成されている。架台３の上部には防水性のプラスチックシート５が支持されており、このプラスチックシート５は、その中央部が垂下するように備えられている。更に、架台３の上部にはメッシュシート７が支持されており、このメッシュシート７はプラスチックシート５の内側に備えられている。メッシュシート７はプラスチックシート５と同様に、その中央部が垂下するように備えられている。メッシュシート７の外面（下面）とプラスチックシート５の内面（上面）との間に隙間が形成されている。
上記プラスチックシート５とメッシュシート７によって栽培容器が構成されている。
メッシュシート７によって構成される凹部にはヤシの実の繊維等から成る土壌８が収容されている。
以上のように栽培ベッド２は構成されており、この栽培ベッド２は温室内に設置されている。
【００１２】
符号９は軟式プラスチック製の養液供給管を示し、この養液供給管９の周面には１０ｃｍ間隔で養液送出穴１０が形成されている。
養液供給管９は２本設けられており、土壌８上に平行に配置されて栽培ベッド２の長手方向へ延び、その先端部は閉鎖されている。
【００１３】
符号１１は硬質プラスチック製の連結管を示し、この連結管１１の途中部分には硬質プラスチック製の分岐管１３が接続されている。連結管１１の先端部と、分岐管１３の先端部は一対の養液供給管９の基端部にそれぞれ接続されている。
連結管１１の基端部は水タンク１５に接続されており、連結管１１の途中にはポンプ１７が設けられている。
連結管１１、分岐管１３およびポンプ１７によって養液送給手段は構成されている。
【００１４】
符号１９は硬質プラスチック製の吸引管を示し、この吸引管１９の先端部は水タンク１５に接続されており、基端部はヒートポンプ本体２１に接続されている。また、吸引管１９の途中にはポンプ２３が設けられている。
また、ヒートポンプ本体２１には供給管２５の基端部が接続され、供給管２５の先端部は水タンク１５に接続されている。水タンク１５には水または養液Ｙが貯留される。
【００１５】
ヒートポンプ本体２１には図示しない制御装置が接続されており、ヒートポンプ本体２１、制御装置等によってヒートポンプシステムが構成されている。また、水タンク１５内には図示しない温度センサが備えられている。
吸引管１９、ヒートポンプ本体２１、ヒートポンプ本体２１等のヒートポンプの制御装置、ポンプ２３および供給管２５によって養液温度制御手段が構成されている。
【００１６】
次に、植物の栽培装置１による植物の栽培方法について説明する。
図２、図３に示すように、栽培植物としてのイチゴＳは土壌８に１５ｃｍ間隔で二列に植えられており、一対の養液供給管９の外側に位置している。また、一対の養液供給管９はイチゴＳのクラウン部Ｃの近傍に配置されている。クラウン部Ｃは周辺温度によって花芽が分化するか否かに影響を与える感温部のことである。イチゴＳはクラウン部Ｃが２０℃以下の温度に一定時間以上曝されると、花芽の分化が促進される。
一対の養液供給管９はイチゴＳのクラウン部Ｃの近傍に備えたが、養液供給管９を移動して、クラウン部Ｃに乗せた状態にしてもよい。この場合には養液供給管９がクラウン部Ｃに直に接触することになり、周囲の温度の影響を受けずに花芽分化をより効果的に促進することができる。
【００１７】
（養液の温度を調節する工程）
図示しないヒートポンプ制御装置を操作してポンプ２３を作動させ、水タンク１５内の水を吸引してヒートポンプ本体２１へ送る。ヒートポンプ本体２１では供給された水の熱交換を行い、冷却して水タンク１５へ送る。そして、この動作を繰り返して、図示しない温度センサによって検知される水タンク１５内の水の温度を１０℃に保つようにする。
上記のようにして水タンク１５内の養液Ｙの温度を１０℃に調節する。
【００１８】
（養液供給管に所定温度の養液を供給する工程）
ポンプ１７を作動させて、水タンク１５内の１０℃に冷却された養液Ｙを連結管１１、分岐管１３を介して一対の養液供給管９へ送る。
前記したように、一対の養液供給管９はイチゴＳのクラウン部Ｃの近傍に配置されているので、花芽の分化を促進したい場合には、上記のように１０℃に冷却された養液Ｙを一対の養液供給管９に供給する。これにより、クラウン部Ｃが冷却されて、周囲の温度に影響されず花芽の分化が促進される。一対の養液供給管９に養液Ｙが供給されると、クラウン部Ｃが冷却されるだけでなく、一対の養液供給管９も冷却されて、その状態をある程度の時間保つことができるので、クラウン部Ｃの冷却が安定的に行われることになる。従って、花芽の分化を確実に促進することができる。
【００１９】
また、一対の養液供給管９に供給された養液Ｙは養液送出穴１０から送出されて土壌８に含浸する。そして、余分な養液Ｙは土壌８を透過し、更にメッシュシート７を通過して、プラスチックシート５上に落下して、図示しない排出路を通って回収される。
上記のように養液Ｙは１０℃程度に冷却されているので土壌８が１５℃に冷却され、この土壌８が冷却された状態はある程度の時間保たれる。従って、外気温が高くなる夏季においても、土壌温度が適温に安定的に調節されることになり、イチゴの根が高温に曝されて、イチゴＳに障害が発生するのを防止することが可能である。養液Ｙは当然のことであるがイチゴＳが養分として利用する。
なお、養液供給管９に設けられた図示しない機構によって、養液供給管９が長尺なものでも、すべての養液送出穴１０からほぼ等しい量の養液Ｙを送出することができるようになっている。
【００２０】
上記した養液供給管９への１０℃の養液Ｙの供給は、例えば６月初旬では、午前６時から１時間置きに約３分間、養液送出穴１０から３００ｃｃずつの送出を５回行う。
図４は水タンク１５内の養液Ｙの温度（ａで示す線）、養液供給管９の温度（ｂで示す線）、外気温度（ｃで示す線）、温室内の温度（ｄで示す線）、土壌８の温度（ｅで示す線）の変化を示す線グラフである。このグラフでは横軸の右から左への進行が時間経過を示し、縦軸が温度（℃）を示す。
このグラフに示すように、外気温、温室内の温度が上昇しても、土壌８に冷却された養液Ｙが滞留するので、かなり長い間温度があまり変化せず、ほぼ一定を保っている。従って、根が過度な高温にされるのを防止でき、イチゴに障害が発生するのを防ぐことが可能となる。
【００２１】
このように養液供給管９に１０℃の養液Ｙを供給することによって、イチゴＳの花芽の分化を促進することができる。従って、実の収量を２割から３割増加させることができる。
また、周囲の温度に影響されず、花芽の分化の促進を含め、花芽分化の時期を確実にコントロールすることができるようになる。
しかも１つの管路（養液供給管９）によって、養液Ｙの供給、花芽分化時期のコントロールおよび栽培適温の保持を行うことができるようになる。
【００２２】
なお、上記にように養液Ｙを冷却する場合だけでなく、ヒートポンプシステムによって養液Ｙを加温することも可能であり、花芽の分化を遅らせて所望の時期に実Ｍを収穫することができる。また、加温した養液Ｙを土壌８に供給することにより、冬季において根が過度な低温にされるのを防止でき、イチゴに障害が発生するのを防ぐことが可能となる。
【００２３】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では栽培植物としてイチゴを示したが、メロン等であってもよい。
【産業上の利用可能性】
【００２４】
本発明の植物の栽培方法、植物の栽培装置はイチゴ等を栽培する農業において利用可能であり、植物の栽培装置は植物の栽培装置の製造業においても利用可能である。
養液供給管９への１０℃の養液Ｙの供給は、例えば６月初旬では、午前６時から１時間置きに約３分間、養液送出口１０から３００ｃｃずつの送出を５回行う。
また、上記実施の形態では養液Ｙの温度１０℃、養液Ｙの供給を午前６時から１時間置きに約３分間、養液Ｙの１回当たりの供給量を３００ｃｃとしたが、本発明はこれに限定されず、これらは季節、温室内の温度等によって適宜変更する。
上記実施の形態に係る養液供給管９の周面には１０ｃｍ間隔で養液送出穴１０を形成したが、これ以外に１５ｃｍ間隔、２０ｃｍ間隔等、養液送出穴１０の間隔を適宜変更してもよい。
また、養液供給管９を介して供給される養液Ｙの温度は１０℃に限定されるものではなく、気温等に応じて５℃〜１５℃の範囲で適宜変更する。
【符号の説明】
【００２５】
１…植物の栽培装置      ２…栽培ベッド      ３…架台
５…プラスチックシート      ７…メッシュシート      ８…土壌
９…養液供給管      １０…養液送出穴      １１…連結管
１３…分岐管      １５…水タンク
１７…ポンプ      １９…吸引管      ２１…ヒートポンプ本体
２３…ポンプ      ２５…供給管
Ｓ…イチゴ      Ｃ…クラウン部
Ｙ…養液      Ｍ…実
【図１】
2013034438.tif 000003
【図２】
2013034438.tif 000004
【図３】
2013034438.tif 000005
【図４】
2013034438.tif 000006